(57)【要約】【課題】  原子炉圧力容器の炉心領域の保温材に放射能遮蔽機能をもたせて炉心領域の放射線量の低減を図るようにする。【解決手段】  原子炉圧力容器の炉心領域の保温材を分割したパネル状にして、各パネルを、外板５と内板６との間に鉛板１５と金属箔７を多層構造として、各層間に空間部９を形成した構成の保温板部材４ａとする。この保温板部材４ａを周方向及び上下方向に並べて、隣接する保温板部材４ａ同士を連結して保温材とする。【選択図】図１
2009229411.tif 000002
【特許請求の範囲】
【請求項１】
内板と外板との間に金属箔を多層状に積層させて各層間に空間部を形成させると共に、該内板と外板との間の所要個所に、高比重部材による遮蔽部の層を形成してなる保温板部材を、原子炉圧力容器の炉心領域の外側に位置させる保温材とするようにしたことを特徴とする原子炉圧力容器の炉心領域の保温材。
【請求項２】
保温板部材を、内板と外板との間で高比重部材の板を金属箔と組み合わせて積層させるようにした請求項１記載の原子炉圧力容器の炉心領域の保温材。
【請求項３】
保温板部材を、内板と外板との間で高比重部材を板又は球体として、任意の金属箔間の空間部に装填又は充填させるようにした請求項１記載の原子炉圧力容器の炉心領域の保温材。
【発明の詳細な説明】
【技術分野】
【０００１】
本発明は、原子炉格納容器内に据え付けられて用いられる原子炉圧力容器（ＲＰＶ）からの放射線量の低減を図るようにする保温材に関するもので、特に、炉心領域の保温材に関するものである。
【背景技術】
【０００２】
原子炉の構造としては、一般的に、コアとなる部分に原子炉圧力容器（ＲＰＶ）が位置し、その外側に金属製のＲＰＶ保温材、原子炉格納容器（ＰＣＶ）が順に位置する多重構造としてある。上記原子炉圧力容器の外側に全周に亘るように設置されているＲＰＶ保温材は、原子炉圧力容器の保温を主たる目的とするもので、原子炉圧力容器の保温を行うことにより、原子炉圧力容器の熱効率（発電効率）の向上を図るようにしてある。
【０００３】
図４は、原子炉圧力容器１とその外側に位置する金属製のＲＰＶ保温材２との関係を示すもので、上記ＲＰＶ保温材２は、原子炉圧力容器１の外側に所要間隔を隔てて全周に亘り設置され、原子炉圧力容器１を保温するようにしてある。
【０００４】
図５は原子炉圧力容器１を原子炉格納容器（ＰＣＶ）に組み込む過程の一例を示すもので、原子炉圧力容器胴１ａの外側に所要の間隙を形成するように金属保温材２を取り付け、更に、原子炉圧力容器胴１ａと金属保温材２との間隙に密度の高いモルタル３を充填して遮蔽するようにしてある（たとえば、特許文献１参照）。
【０００５】
上記図４や図５に示す金属製の保温材２は、図４の右半分に示すように所要大きさのパネル状に分割して、各分割されたパネルとしての保温板部材４を周方向と上下方向に並べて円筒状に組み付け、上下、左右（周方向）に隣接する各保温板部材４同士を繋ぎ合わせて一体化するようにしてある。
【０００６】
上記分割されたブロック状の保温板部材４は、図６及び図７に示す如く、所要間隔で対向させて配した外板５と内板６との間に、途中に屈曲部８を有するアルミニウム、ステンレスの如き金属箔７を内外方向に多層に積層し、各層の金属箔７の間に空間部９を形成して保温効果を持たせるようにしてあり、更に、上下両端面をエンドクロージャー１０で閉塞すると共に、左右両側端面をサイドクロージャー１１で閉塞するようにしてなる構成としてある。
【０００７】
図６中、１２は各パネルとしての保温板部材４を組み付けるとき等でのハンドリングを容易にするために外板５の外側面に取り付けた取手、１３はオーバーラップ、１４は隣接する保温板部材同士を連結するためのバックルである。
【０００８】
【特許文献１】特開２００５−３０８６２７号
【発明の開示】
【発明が解決しようとする課題】
【０００９】
ところが、原子炉圧力容器の外側にＲＰＶ保温材を位置させ、更に、その外側に原子炉格納容器が位置させてある構造の原子炉では、原子炉圧力容器からの放射線は、原子炉格納容器で防ぐものとされている。そのため、原子炉格納容器は放射能を遮蔽できる構造のものとしてあるのが実状である。一方、上記保温材は、原子炉圧力容器の保温を主な目的とするもので、放射能の遮蔽の役割は大きいものではなかった。
【００１０】
そのため、たとえば、点検時等で配管の調整をするため原子力圧力容器に作業者が近付くようなときには、被爆しないような十分な防護対策がなされている。特に、原子炉圧力容器の内部に燃料棒が位置し、ここで反応して得られるエネルギーで水を蒸発させ、蒸気でタービンを回して発電させるようにするエネルギー発生源となる炉心領域では、放射線量が高い。点検時に原子炉格納容器と原子炉圧力容器との間に作業者が入る際に被爆しないように細心の注意を必要としている。
【００１１】
そこで、本発明は、原子炉圧力容器の保温を行う金属製の保温材における炉心領域の外側に位置する保温材に放射線の遮蔽機能を持たせるようにして、原子炉圧力容器の外側への放射線量を低減させるようにしようとするものである。
【課題を解決するための手段】
【００１２】
本発明は、上記課題を解決するために、内板と外板との間に金属箔を多層状に積層させて各層間に空間部を形成させると共に、該内板と外板との間の所要個所に、高比重部材による遮蔽部の層を形成してなる保温板部材を、原子炉圧力容器の炉心領域の外側に位置させる保温材とするようにした構成とする。
【００１３】
又、保温板部材を、内板と外板との間で高比重部材の板を金属箔と組み合わせて積層させるようにした構成とする。
【００１４】
更に、保温板部材を、内板と外板との間で高比重部材を板又は球体として、任意の金属箔間の空間部に装填又は充填させるようにした構成とする。
【発明の効果】
【００１５】
本発明によれば、以下の如き優れた効果を発揮する。  
（１）内板と外板との間に金属箔を多層状に積層させて各層間に空間部を形成させると共に、該内板と外板との間の所要個所に、高比重部材による遮蔽部の層を形成してなる保温板部材を、原子炉圧力容器の炉心領域の外側に位置させる保温材とするようにした構成としてあり、更に、保温板部材を、内板と外板との間で高比重部材の板を金属箔と組み合わせて積層させるようにした構成、又は保温板部材を、内板と外板との間で高比重部材を板又は球体として、任意の金属箔間の空間部に装填又は充填させるようにした構成としてあるので、炉心領域の保温材を、保温と放射能遮蔽という性能を有するものとすることができて、炉心領域の放射線量の低減を図ることができる。  
（２）上記（１）により作業者の放射線被爆を軽減することができ、又、原子炉の通常運転時のみならず、事故発生時においても放射能漏洩を低減できる。
【発明を実施するための最良の形態】
【００１６】
以下、本発明を実施するための最良の形態を図面を参照して説明する。
【００１７】
本発明は、図４に示す原子力圧力容器１の外側に位置していて、該原子力圧力容器１を保温するようにしてある金属製の保温材２のうち、特に、原子炉圧力容器１の炉心領域Ａ（図４参照）の外側に位置する保温材２に、鉛の如き高比重の部材を組み込み、炉心領域Ａの保温材２に保温と放射能遮蔽の性能をもたせるようにする。
【００１８】
詳述すると、図１は本発明の実施の一形態を示すもので、上記炉心領域Ａの外側に位置する保温材２を構成する分割された図６及び図７に示す如き保温板部材４と同様な構成において、内板６と外板５との間の所要の間隙に、内側から外側へ積層する複数の金属箔７のうち、たとえば、奇数層に位置する金属箔７に代えて、途中に屈曲部を形成してスペーサとしての機能をもたせるようにした平板状の鉛板１５を組み込み、該鉛板１５と隣接する金属箔７との間に空間部９が形成されるようにした保温板部材４ａとする。更に、該保温板部材４ａを炉心領域Ａにおいて周方向及び上下方向に並べて配置し、各隣接する保温板部材４ａ同士を連結して所要大きさ及び広さを有する本発明の炉心領域の保温材とする。
【００１９】
その他の構成は、図６及び図７に示したものと同じであり、同一のものには同一符号が付してある。
【００２０】
本発明の炉心領域の保温材を構成する各保温板部材４ａは、鉛板１５と金属箔７とを所要の間隔を隔てて積層させて、各層間に空間部９が形成された構成としてあるので、各保温板部材４ａは、原子炉圧力容器１の保温を従来の場合と同様に行うことができるほか、鉛板１５を組み込んで遮蔽部１６を設け放射能遮蔽機能を付与させたことにより、同時に放射能遮蔽の性能を有するものとすることができる。これにより炉心領域Ａの外側に位置する保温材の外側では放射線量を低減させることができて、作業者の放射線被爆を軽減することができる。
【００２１】
次に、図２は、本発明の実施の他の形態を示すもので、図６及び図７に示した従来の保温板部材４と同様な構成において、所要層の金属箔７間の空間部９に、鉛の板１７を挿入して積層させるようにしたものである。
【００２２】
すなわち、図１に示す鉛板１５を金属箔７の層間に組み入れて多層構造とすることに代えて、厚さを厚くした鉛の板１７を所要の空間部９に装填したものである。
【００２３】
なお、上記鉛の板１７は、１層のみとしてもよい。
【００２４】
この実施の形態によっても、鉛の板１７により遮蔽部１６を設けてあることから、図１に示す実施の形態の場合と同様の効果が得られる。
【００２５】
次いで、図３は、本発明の実施の更に他の形態を示すもので、図２に示す実施の形態において、保温板部材４ａを構成する多層の金属箔７間の所要の空間部９に鉛の板１７を装填するようにした構成に代えて、球状に成形した鉛の球体１８を、所要の空間部９に多数充填して、鉛の球体１８による遮蔽部を設けるようにしたものである。
【００２６】
その他の構成は、図１、図２に示すものと同じであり、同一のものには同一符号が付してある。
【００２７】
この実施の形態にした場合でも、前記した図１、図２に示すものと同様の効果を得ることができる。
【００２８】
なお、本発明は、上記した実施の形態にのみ限定されるものではなく、図１に示す実施の形態の場合には、鉛板１５を一層のみとしてもよく、又、すべての金属箔７に代えて鉛板１５を用いるようにしてもよい。又、図２や図３に示す実施の形態の場合には、一層置きに鉛の板１７や鉛の球体１８による遮蔽部を形成させるようにした場合を示したが、遮蔽部は１層のみ、あるいは２層を重ねるようにする等、任意に変更できること、更に、本発明の実施の形態として、図１〜図３の３つの例を示したが、鉛による遮蔽部が形成されるものであれば、どのような構造のものでもよいこと、高比重のものとして鉛を例示したが、耐熱性があれば、鉛以外のものでもよいこと、その他本発明の要旨を逸脱しない範囲内で種々変更を加え得ることは勿論である。
【図面の簡単な説明】
【００２９】
【図１】本発明の実施の一形態の一例を示す保温板部材の切断側面図である。
【図２】本発明の実施の他の形態の一例を示す図１に対応する図である。
【図３】本発明の実施の更に他の形態の一例を示す図１に対応する図である。
【図４】原子炉圧力容器の外側にＲＰＶ保温材が位置させてあることを示す一部切断側面図である。
【図５】従来の原子炉圧力容器の交換作業の一過程における図である。
【図６】従来のＲＰＶ保温材を構成する各保温板部材の斜視図である。
【図７】図６の保温板部材の切断側面図である。
【符号の説明】
【００３０】
１  原子炉圧力容器
２  ＲＰＶ保温材（保温材）
４ａ  保温板部材
５  外板
６  内板
７  金属箔
８  屈曲部
９  空間部
１５  鉛板
１６  遮蔽部
１７  鉛の板
１８  鉛の球体
【図１】
2009229411.tif 000003
【図２】
2009229411.tif 000004
【図３】
2009229411.tif 000005
【図４】
2009229411.tif 000006
【図５】
2009229411.tif 000007
【図６】
2009229411.tif 000008
【図７】
2009229411.tif 000009